(57)【要約】【課題】部品点数を少なくできると共にコーナ部材を強固に固定でき、且つカバー部材の熱伸びを許容できる内窓を提供する。【解決手段】内窓１のふかし枠１１は、上下の横ベース枠１７、１９と、左右の竪ベース枠２１と、各ベース枠１７、１９、２１に取付けてベース枠の室内側面及び外周側見込み面を覆うカバー部材２３ａ、２３ｂ、２３ｃと、カバー部材２３ａ、２３ｂ、２３ｃの端部を室内側から隠すコーナ部材２５とを有し、コーナ部材２５にはカバー部材側面に係合突起４９が設けてあり、上下の横カバー部材２３ａ、２３ｂと左右の竪カバー部材２３ｃのうちの少なくとも一方のカバー部材には両端部にコーナ部材の係合突起４９に係合する係合孔４７が形成してあり、係合孔４７のカバー部材長手方向の寸法Ｓ１は、係合突起４９のカバー部材長手方向の寸法Ｓ２よりも長くしてあり、カバー部材２３ａ、２３ｂとコーナ部材２５とが相対的に移動可能である。【選択図】図１
2011153493.tif 000002
【特許請求の範囲】
【請求項１】
窓開口部の室内側に取付けるふかし枠と、ふかし枠の内周に固定する窓枠と、窓枠の内周に配置する障子とを備え、ふかし枠は、上下の横ベース枠と、左右の竪ベース枠と、各ベース枠に取付けてベース枠の室内側面及び外周側見込み面を覆うカバー部材と、横ベース枠と竪ベース枠との各コーナ部に設けてカバー部材の端部を室内側から隠すコーナ部材とを有し、コーナ部材にはカバー部材側面に係合突起が設けてあり、上下の横カバー部材と左右の竪カバー部材のうちの少なくとも一方のカバー部材には両端部にコーナ部材の係合突起に係合する係合孔が形成してあり、係合孔のカバー部材長手方向の寸法は、係合突起のカバー部材長手方向の寸法よりも長くしてあり、カバー部材とコーナ部材とが相対的に移動可能であることを特徴とする内窓。
【請求項２】
カバー部材の係合孔はカバー部材の見付け面と見込み面とに設けてあり、コーナ部材の係合突起はカバー部材の係合孔に対向する位置に各々に設けてあることを特徴とする請求項１に記載の内窓。
【請求項３】
下横カバー部材は下横ベース枠よりも長いものであり、下横カバー部材の端部に竪カバー部材の下端が載置してあることを特徴とする請求項１又は２に記載の内窓。
【発明の詳細な説明】
【技術分野】
【０００１】
本発明は、既設外窓の室内側に取付ける内窓に関する。
【背景技術】
【０００２】
既設窓において、既設外窓の室内側に内窓を新設して二重サッシにすることで、簡単に断熱性の向上を図ることが知られている。
かかる内窓として、特許文献１には、上下の横ベース枠と、左右の竪ベース枠とを連結部材で連結し、且つ連結部材により上下左右寸法を調整可能に枠組し、枠組みしたベース枠を窓開口部に挿入して各ベース枠を化粧枠に固定した後、各ベース枠にカバー部材を取付け、各角部に設けてある連結部材にコーナ部材を嵌合して、カバー部材の突き合わせ端をコーナ部材で隠すことが開示されている。
しかし、特許文献１のふかし枠は、ベース枠を連結部材により調整可能に枠組みした後、窓開口部に挿入して固定するので、ベース枠の枠組みが不安定な為、変形しやすくなり作業性に劣るという問題がある。特に、大型のふかし枠の場合において、一人で作業するときにふかし枠の左右の一側を持って窓開口部に挿入しようとすると、分解してしまうおそれがある。したがって、一人で作業するのが困難であった。
また、コーナ部材は連結部材に嵌合する構成であるから、連結部材との嵌合構造が必要になり、連結部材及びコーナ部材の構成が複雑になるという問題がある。
これに対して、特許文献２の技術では、上下左右の各ベース枠を各々窓開口部に固定した後、各ベース枠にカバー部材を取付け、角部にコーナ部材を取付けて各カバー部材の突き合わせ端をコーナ部材により隠すことが開示されている。
【先行技術文献】
【特許文献】
【０００３】
【特許文献１】特開２００７−２９７８３１号公報
【特許文献２】特開２００８−３１６６９号公報
【発明の概要】
【発明が解決しようとする課題】
【０００４】
しかし、特許文献２の技術では、コーナ部材の取付けについて具体的な開示がないが、例えば、カバー部材の突き合わせ端にコーナ部材を嵌めただけでは、コーナ部材に指が引っ掛かった場合等にコーナ部材が脱落するおそれがある。
一方、カバー部材が室内の熱により伸びる場合があるので、コーナ部材に対するカバー部材の熱伸びを許容できる構成が要求されている。
【０００５】
そこで、本発明は、部品点数を少なくできると共にコーナ部材を強固に固定でき、且つカバー部材の熱伸びを許容できる内窓の提供を目的とする。
【課題を解決するための手段】
【０００６】
請求項１に記載の発明は、窓開口部の室内側に取付けるふかし枠と、ふかし枠の内周に固定する窓枠と、窓枠の内周に配置する障子とを備え、ふかし枠は、上下の横ベース枠と、左右の竪ベース枠と、各ベース枠に取付けてベース枠の室内側面及び外周側見込み面を覆うカバー部材と、横ベース枠と竪ベース枠との各コーナ部に設けてカバー部材の端部を室内側から隠すコーナ部材とを有し、コーナ部材にはカバー部材側面に係合突起が設けてあり、上下の横カバー部材と左右の竪カバー部材のうちの少なくとも一方のカバー部材には両端部にコーナ部材の係合突起に係合する係合孔が形成してあり、係合孔のカバー部材長手方向の寸法は、係合突起のカバー部材長手方向の寸法よりも長くしてあり、カバー部材とコーナ部材とが相対的に移動可能であることを特徴とする。
【０００７】
請求項２に記載の発明は、請求項１に記載の発明において、カバー部材の係合孔はカバー部材の見付け面と見込み面とに設けてあり、コーナ部材の係合突起はカバー部材の係合孔に対向する位置に各々に設けてあることを特徴とする。
【０００８】
請求項３に記載の発明は、請求項１又は２に記載の発明において、下横カバー部材は下横ベース枠よりも長いものであり、下横カバー部材の端部に竪カバー部材の下端が載置してあることを特徴とする。
【発明の効果】
【０００９】
請求項１に記載の発明によれば、ふかし枠には、特許文献１のような各ベース枠を互いに連結する連結部材を設けていないので部品点数を少なくできる。
コーナ部材は係合突起によりカバー部材の係合孔に係合しているので、指の引っ掛かり等により簡単に脱落することがないから、コーナ部材を強固に固定できる。
カバー部材に形成した係合孔はカバー部材長手方向の寸法が係合突起のカバー部材長手方向の寸法よりも長くしてあるので、コーナ部材に対するカバー部材の熱伸びを許容できる。
コーナ部材は、コーナ部材に設けた係合突起をカバー部材に形成した係合孔に係合することにより取付けてあるので、室内側からの押し込みによりカバー部材に簡単に取付けできる。
【００１０】
請求項２に記載の発明によれば、請求項１に記載の発明と同様の効果を得ることができると共に、コーナ部材はカバー部材の見付け面と見込み面との２カ所でカバー部材に係合しているので、カバー部材の見込み寸法が大きい場合でもコーナ部材をカバー部材に強固に固定できる。
【００１１】
請求項３に記載の発明によれば、請求項１又は２に記載の発明と同様の効果を得ることができると共に、竪カバー部材の下端が下横カバーの端部に載置してあるので、コーナ部材に竪カバー部材の下限位置を規定する部位や部品を必要としないので、コーナ部材を簡易な構成にできると共にコーナ部材の設計の自由度が高い。
【図面の簡単な説明】
【００１２】
【図１】第１実施の形態に係る内窓のふかし枠を、一部を切り欠いて室内側から見た正面図である。
【図２】第１実施の形態に係る内窓を備える窓の縦断面図である。
【図３】第１実施の形態に係る内窓を備える窓の横断面図である。
【図４】第１実施の形態に係る内窓の分解斜視図である。
【図５】第１実施の形態に係る内窓の下側部分及びその周囲部分を示す縦断面である。
【図６】第１実施の形態に係る内窓に用いられる右上コーナ部材の図であり、（ａ）は室内側から見た正面図であり、（ｂ）は左側面図、（ｃ）は右側面図であり、（ｄ）は下側から見た平面図であり、（ｅ）は上横カバー部材と竪カバー部材に取付けた状態を示す正面図であり、（ｆ）は（ｅ）に示すＡーＡ断面図である。
【図７】横カバー部材の図であり、（ａ）は断面図であり、（ｂ）は室内側から見た正面図であり、（ｃ）は下から見た平面図である。
【図８】第２実施の形態に係る内窓を備える窓の縦断面図である。
【図９】第２実施の形態に係る内窓を備える窓の横断面図である。
【図１０】第２実施の形態に係る内窓の分解斜視図である。
【図１１】第２実施の形態に係る内窓に用いられる右上コーナ部材の図であり、（ａ）は室内側から見た正面図であり、（ｂ）は左側面図、（ｃ）は右側面図であり、（ｄ）は下側から見た平面図であり、（ｅ）は上横カバー部材と竪カバー部材に取付け状態を示す正面図であり、（ｆ）は（ｅ）に示すＢーＢ断面図である。
【図１２】第３実施の形態に係る内窓のふかし枠を、一部を切り欠いて室内側から見た正面図である。
【発明を実施するための形態】
【００１３】
以下に、本発明の実施の形態を説明するが、まず添付図面の図１〜図７を参照して本発明の第１実施の形態を詳細に説明する。図２及び図３に示すように、第１実施の形態に係る内窓１を備える窓３は、室外側に設けた既設外窓５の室内側に内窓１を新たに設置したものであり、内窓１は窓開口部７に設けた化粧枠９の室内側に取付けられている。
内窓１は、化粧枠９の室内側に取付けるふかし枠１１と、ふかし枠１１の内周に固定する窓枠１３と、窓枠１３の内周に配置する障子１５とを備えている。本実施の形態にかかる障子１５は引き違い障子である。
図２〜図４に示すように、ふかし枠１１は、上横ベース枠１７と、下横ベース枠１９と、左右の竪ベース枠２１と、下横ベース枠１９に取付ける下横カバー部材２３ａ、上横ベース枠１７に取付ける上横カバー部材２３ｂ、竪ベース枠２１に取付ける竪カバー部材２３ｃと、横ベース枠１７、１９と竪ベース枠２１との各コーナ部に設けるコーナ部材２５とを備えている。
【００１４】
各ベース枠１７、１９、２１は、アルミニウム製の形材で断面が同一形状であり、図５に示すように、中空を有する本体部２７と本体部２７から室外側に突出した室外側片２９とを備えている。室外側片２９は、本体部２７の内周側面２７ａよりも内周側に突設した段差部２９ａから室外側に延出しており、段差部２９ａは本体部２７に窓枠１３を取付けるときに窓枠１３の室外側端に当接して窓枠１３の位置決めを行っている。
室外側片２９は化粧枠９の内周側面に内周側から止めるねじ２８でねじ固定されており、本体部２７は室内側面にねじの挿通孔３１が形成されており、室内側から挿通したねじ３３により中空部の仕切り壁３０にねじの頭を係止して固定されている。
本体部２７には外周面室外側に凹状の室外側係止部３５が形成してあり、内周面室内側に凹状の室内側係止部３７が形成されている。
【００１５】
図４及び図５に示すように、各カバー部材２３ａ、２３ｂ、２３ｃは、樹脂材製の形材であり、材断面略Ｌ状を成し、各ベース枠１７、１９、２１に取付けて、各ベース枠１７、１９、２１の室内側面１８及び外周側見込み面２０を覆っている。図５に示すように、カバー部材２３ａ、２３ｂ、２３ｃは、室外側にベース枠１７、１９、２１の室外側係止部３５に係止する室外側被係止部３９が形成されており、室内側にはベース枠１７、１９、２１の室内側係止部３５に係止する室内側被係止部４１と、窓枠用位置規制突起４３とが形成されている。窓枠用位置規制突起４３はふかし枠１１の内周側に向けて突設し、窓枠１３の室内側端を規制している。
図１に示すように、上下の横カバー部材２３ａ、２３ｂは各々、上下の横ベース枠１７、１９よりも長く形成してあり、横カバー部材２３ａ、２３ｂの両端１４は、横ベース枠１７、１９の端１７ａ、１９ａから突出している。
図１及び図４に示すように、上下の横カバー部材２３ａ、２３ｂにおいて横ベース枠１７、１９の各端１７ａ、１９ａから突出した部分（突出部）４５には、各々その見付け面（図７（ｂ）参照）に２つの第１係合孔４７が並列に形成してある。各第１係合孔４７は、コーナ部材２５に設けた第１係合突起（後述する）４９に係合するようになっている。そして、図６（ｅ）に示すように各第１係合孔４７におけるカバー部材長手方向の寸法Ｓ１は、係合突起４９におけるカバー部材長手方向の寸法Ｓ２よりも長くしてある。また、図６（ｂ）に示すように、第１係合突起４９の基部５０の巾Ｗは、第１係合突起４９の基部５０が挿入される第１係合孔４７の巾Ｍ（図６（ｅ）参照）と略同じにしてある。
図１に示すように、下横カバー部材２３ａの端部には竪カバー部材２３ｃの下端が載置してあり、上横カバー部材２３ｂの端部と竪カバー部材２３ｃの上端との間には隙間Ｋが形成されている。
図７に示すように、横カバー部材２３ａ、２３ｂの突出部４５において、その見込み面にも第２係合孔５１が形成してあり、図６に示すように、第２係合孔５１にはコーナ部材２５に設けた第２係合突起５３（後述する）に係合するようになっている。第２係合孔５１も第１係合孔４７と同様に、各第２係合孔５１におけるカバー部材長手方向の寸法Ｔ１（図７（ｃ）参照）は、係合突起４９におけるカバー部材長手方向の寸法Ｔ２（図６（ｄ）参照）よりも長くしてある。
尚、図１及び図４に示すように、竪カバー部材２３ｃには、第１係合孔４７及び第２係合孔５１のいずれも形成されていない。
【００１６】
コーナ部材２５は、図１及び図４に示すように、横ベース枠１７、１９と竪ベース枠２１との各コーナ部に設けてあり、見付け面５５と、垂直見込み面５７と、水平見込み面５９とを備えており、垂直見込み面５７は横カバー部材２３ａ（又は２３ｂ）の端に対向し、水平見込み面５９は竪カバー部材２３ｃの端に対向している。
図６に示すように、コーナ部材２５には、見付け面５５の室外側に２つの第１係合突起４９が室外側に向けて並んで突設してあり、各第１係合突起４９は先端が第１係合孔の巾Ｍ（図６（ｅ）参照）よりも巾Ｎ（図６（ｆ）参照）が広い爪部６１が設けてあり、爪部６１は一組の分割爪部６１ａ、６１ｂを対向して配置して形成し、各分割爪部６１ａ、６１ｂを互いに対向する側に向けて弾性変形できるようになっている。第１係合突起４９は各爪部６１の巾を狭めるように弾性変形させて第１係合孔４７に挿入した後、弾性復帰して爪部６１の巾を第１係合孔４７の巾Ｍ（図６（ｅ）及び図７（ｂ）参照））よりも広げて、第１係合孔４７の縁部に係合している。
図６（ｂ）に示すように、コーナ部材２５において、水平見込み面５９の内面には、内周に向けて突出した第２係合突起５３が設けてある。第２係合突起５３は、起立部５３ａと起立部５３ａの先端から室外側に向けて延出する延出部５３ｂとで断面略Ｌ字を成しており、延出部５３ｂと水平見込み面５９との間に室外側に向けて開口する溝部５３ｃが形成されている。図４及び図６（ｆ）に示すように、第２係合突起５３を横カバー部材２３ａの第２係合孔５１内に挿入した後、コーナ部材２５を室外側に向けて押し付けると、第２係合孔５１の縁部が溝部５３に入り込んで起立部５３ａに当接することでコーナ部材２５の室外側（見込み方向）を位置決めすると共にカバー部材の第２係合孔５１の縁部を溝部５３内に挿入して第２係合突起５３と第２係合孔５１とを係合している。
尚、コーナ部材２５には、中空部６３が設けてある。
【００１７】
次に、本実施の形態にかかる内窓１の施工、作用効果について説明する。内窓１の施工は、図４に示すように、窓３の化粧枠９に、上横ベース枠１７、下横ベース枠１９及び左右の竪ベース枠２１を各々個別に配置してねじ固定する。各ベース枠１７、１９、２１のねじ固定は、図５に示すように、各ベース枠１７、１９、２１の本体部２７の室内側見付け面に形成されている挿通孔３１にねじ３３を挿通してねじ３３を化粧枠９に螺合してねじの頭を中空部内の仕切り壁３０に係止する。そして、本体部２７から室外側に突設した室外側片２９を化粧枠９の内周側見込み面にねじ２８で固定する。
次に、図４に示すように、上横カバー部材２３ｂを上横ベース枠１７に、下横カバー部材２３ａを下横ベース枠１９に取付ける。図５に示すように、下横カバー部材２３ａの取付けは、下横カバー部材２３ａの室外側被係止部３９を横ベース本体部２７の室外側係止部３５に係止した後、室外側被係止部３９を軸にして下横カバー部材２３ａを上方に向けて回転するように押し上げることで、下横カバー部材２３ａの室内側被係止部４１を横ベース本体部２７の室内側係止部３７にクリック感を持って係止して、下横カバー部材２３ａを下横ベース枠１７に嵌め込む。尚、下横カバー部材２３ａを下横ベース枠１９に取付けるときには、下横ベース枠１９の長手方向端から室外側係止部３５に下横カバー部材２３ａの室外側被係止部３９を、室内側係止部３７に室内側被係止部４１を係止して下横ベース枠１９に下横カバー部材２３ａを挿通して取付けても良い。
この状態で、図１に示すように、下横カバー部材２３ａの両端では突出部４５が下横ベース枠１９の端１４よりも突出して配置される。上横カバー部材２３ｂも、下横カバー部材２３ａと同様に上横ベース枠１７に取付ける。尚、上横カバー部材２３ｂ及び下横カバー部材２３ａは長手方向にスライド可能であり、必要に応じて長手方向の位置を調整する。
次に、左右の各竪ベース枠２１に竪カバー部材２３ｃを取付けるが、竪カバー部材２３ｃの取付けは、上下の横カバー部材２３ａ、２３ｂと同様にして竪ベース枠２１に嵌め込み、竪カバー部材２３ｃの下端を下横カバー部材２３ａの端部（突出部）４５に載置する。
その後、各横カバー部材２３ａ、２３ｂと竪カバー部材２３ｃとの各付き合わせ角部にコーナ部材２５を取付ける。図４又は図６に示すように、コーナ部材２５の取付けは、第２係合突起５３を横カバー部材２３ａ、２３ｂの第２係合孔５１に挿入し、コーナ部材２５を室外側に向けて押し付けると、第２係合突起５３の溝部５３ｃ（図６（ｂ）参照）に第２係合孔５１の縁部が挿入され、縁部が第２係合突起５３の起立部５３ａに当接したところでコーナ部材２５の室外側への移動が規制される。この状態で、図６に示すように、各第１係合突起４９が第１係合孔４７内に挿入されると共に、各第１係合突起４９は第１係合孔４７に挿入するときに互いに近接するように弾性変形した後、弾性復帰して各爪部６１、６１が第１係合孔４７の縁部に係合する。このようにして、４つの各コーナ部材２５を取付ける。
そして、ふかし枠１１の内周に窓枠１３を取付けるが、窓枠１３の室内側端は横カバー部材２３ａ、２３ｂ及び竪カバー部材２３ｃに設けてある窓枠用位置規制突起４３（図５参照）により位置決めし、窓枠１３の室外側端は各ベース枠１７、１９、２１の室外側片２９の段差部２９ａにより位置決めして、窓枠１３を化粧枠９にねじ固定する。
【００１８】
第１実施の形態によれば、ふかし枠を構成する各ベース枠１７、１９、２１は各々化粧枠９にねじ固定する構成であり、ふかし枠１１には、特許文献１のような各ベース枠１７、１９、２１を互いに連結する連結部材を設けていないので部品点数を少なくできる。
横カバー部材２３ａ、２３ｂは、一端を横ベース枠１７、１９の端より長くして横ベース枠１７、１９の端よりも突出した突出部４５に形成した第１係合孔４７（又は第２係合孔５１）に、コーナ部材２５の第１係合突起４９（又は第２係合突起５３）を係合しているので、横ベース部材１７、１９が邪魔にならず、簡易な構成でコーナ部材２５を横カバー部材２３ａ、２３ｂに取付けできる。
コーナ部材２５は、コーナ部材２５に設けた第１係合突起４９を横カバー部材２３ａ、２３ｂに形成した第１係合孔４７に係合することにより取付けてあるので、室内側からの押し込みにより横カバー部材２３ａ、２３ｂに簡単に取付けできる。
コーナ部材２５は第１係合突起４９（又は第２係合突起５３）により横カバー部材２３ａ、２３ｂの第１係合孔４７（又は第２係合孔５１）に係合しているので、指の引っ掛かり等により簡単に脱落することがないから、コーナ部材２５を強固に固定できる。
第１実施の形態では、図２に示すように横カバー部材２３ａ、２３ｂの見込み寸法を後述する第２実施の形態（図８参照）よりも大きくしているが、図４に示すように、コーナ部材２５は見付け面５５と見込み面５９との２カ所で各々横カバー部材２３ａ、２３ｂに設けた係合孔４７、５１に係合しているので、横カバー部材２３ａ、２３ｂの見込み寸法が大きい場合でも、コーナ部材２５を横カバー部材２３ａ、２３ｂに強固に固定できる。
図６（ｅ）又は図７に示すように、横カバー部材２３ａ、２３ｂに形成された第１係合孔４７及び第２係合孔５１は、カバー部材長手方向の寸法Ｓ１、Ｔ１（図７（ｃ）参照）が各々第１係合突起４９及び第２係合突起５３のカバー部材長手方向の寸法Ｓ２、Ｔ２よりも長くしているので、コーナ部材２５に対して横カバー部材２３ａ、２３ｂに相対的な熱伸びが生じた場合でも、横カバー部材２３ａ、２３ｂの熱伸びを許容できる。
また、図１に示すように、竪カバー部材２３ｃは、下端を下横カバー部材２３ａに載置し、上端は上横カバー部材２３ｂとの間に隙間Ｋを空けて配置しているので、左右の上コーナ部材２５に対する竪カバー部材２３ｃの熱伸びも許容できる。
図６（ｅ）（ｆ）に示すように、第１係合突起４９は先端が第１係合孔４７の巾Ｍ（図７（ｂ）参照）よりも巾Ｎが広い爪部６１で係合しているので、コーナ部材２５が室内側へ移動するのを制限できると共に室内方向の外力が作用した場合でもコーナ部材２５の脱落を防止できる。
第１係合突起４９の基部５０の巾Ｗは、第１係合突起４９の基部５０が挿入される第１係合孔４７の巾Ｍ（図６（ｅ）参照）と略同じにしてあるので、横カバー部材２３ａ、２３ｂに対するコーナ部材２５のがたつきを防止できる。
図１に示すように、竪カバー部材２３ｃの下端２４は下横カバー２３ａの端部に載置してあるので、コーナ部材２５に竪カバー部材２３ｃの下限位置を規定する部位や部品を必要としないので、コーナ部材２５を簡易な構成にできると共にコーナ部材２５の設計の自由度が高い。
コーナ部材２５には、中空部６３を設けているので、コーナ部材の強度を高めることができる。特に、中空部６３を設けることにより、化粧枠９にコーナ部材２５を強く押し付けてときでもコーナ部材２５の潰れを防止できる。尚、中空部６３は縦カバー部材２１ｃの下限位置まで形成して、コーナ部材２５の強度を更に高めても良い。
第２係合突起５３の起立部５３ａが第２係合孔５１の縁部に当接することでコーナ部材２５を室外側へ向けて押し込んだときの位置を規制しているので、第２係合突起５３が位置規制部材を兼用でき、別途位置規制部材を設けなくて済むから、構成を簡易にできる。また、コーナ部材２５を押し込みにより取付けできるから、コーナ部材２５の取付けが簡単である。
各カバー部材２３ａ、２３ｂ、２３ｃは、長手方向を固定していないので、ベース枠１７、１９、２１の長手方向の取付け位置が多少ずれた場合でも、カバー部材２３ａ、２３ｂ、２３ｃの長手方向をずらして取付けることにより隙間をあけないで覆うことができる。
図５に示すように、横カバー部材２３ａ、２３ｂ及び竪カバー部材２３ｃの室内側端には窓枠用位置規制突起４３を設けて窓枠１３の室内側端を位置決めし、各ベース枠１７、１９、２１の室外側片２９に段差部２９ａを設けて窓枠１３の室外側端を位置決めしているので、窓枠１３の位置決めが容易にでき、施工し易い。
【００１９】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図８〜図１１に第２実施の形態を示す。この第２実施の形態では、第１実施の形態よりもふかし枠１１の見込み寸法を小さくしてあり、図２及び図３に示す第１実施の形態に比較して、上横ベース枠１７、下横ベース枠１９、竪ベース枠２１の見込み寸法が、図８及び図９に示す第２実施の形態では小さくなっている。また、第２実施の形態では、上横ベース枠１７、下横ベース枠１９、竪ベース枠２１には、本体部２７のみが設けてあり、室外側片２９（図５参照）がない。更に、図１０及び図１１に示すように、上下の横カバー部材２３ａ、２３ｂには第１係合孔４７のみが形成してあり、第２係合孔５１（図４参照）がない点、及びコーナ部材２５には第２係合突起５３（図４参照）がない点が第１実施の形態と異なっている。その他の構成は、第１実施の形態と同様である。
【００２０】
この第２実施の形態によれば、第２係合孔５１及び第２係合突起５３による作用効果を除いて、上述した第１実施の形態と同様の作用効果を奏することができる。即ち、ふかし枠を構成する各ベース枠１７、１９、２１は各々化粧枠９にねじ固定する構成であり、ふかし枠１１には、特許文献１のような各ベース枠１７、１９、２１を互いに連結する連結部材を設けていないので部品点数を少なくできる。
横カバー部材２３ａ、２３ｂは、一端を横ベース枠１７、１９の端より長くして横ベース枠１７、１９の端よりも突出した突出部４５に形成した第１係合孔４７に、コーナ部材２５の第１係合突起４９を係合しているので、簡易な構成でコーナ部材２５を横カバー部材２３ａ、２３ｂに取付けできる。
コーナ部材２５は、コーナ部材２５に設けた第１係合突起４９を横カバー部材２３ａ、２３ｂに形成した第１係合孔４７に係合することにより取付けてあるので、室内側からの押し込みにより横カバー部材２３ａ、２３ｂに簡単に取付けできる。
コーナ部材２５は第１係合突起４９により横カバー部材２３ａ、２３ｂの第１係合孔４７に係合しているので、指の引っ掛かり等により簡単に脱落することがないから、コーナ部材２５を強固に固定できる。
図１１（ｅ）に示すように、第１係合孔４７は、カバー部材長手方向の寸法Ｓ１が第１係合突起４９のカバー部材長手方向の寸法Ｓ２よりも長くしているので、コーナ部材２５に対して横カバー部材２３ａ、２３ｂに相対的な熱伸びが生じた場合でも、横カバー部材２３ａ、２３ｂの熱伸びを許容できる。
また、第２実施の形態でも第１実施の形態と同様に、竪カバー部材２３ｃは、下端を下横カバー部材２３ａに載置し、上端は上横カバー部材２３ｂとの間に隙間Ｋ（図１１（ｅ）参照）を空けて配置しているので、左右の上コーナ部材２５に対する竪カバー部材２３ｃの熱伸びも許容できる。
第１係合突起４９の基部５０の巾Ｗは、第１係合突起４９の基部５０が挿入される第１係合孔４７の巾Ｍ（図６（ｅ）参照）と略同じにしてあるので、横カバー部材２３ａ、２３ｂに対するコーナ部材２５のがたつきを防止できる。
図１１（ｅ）（ｆ）に示すように、第１係合突起４９は先端が第１係合孔４７の巾Ｍ（図７（ｂ）参照）よりも巾Ｎが広い爪部６１で係合しているので、コーナ部材２５が室内側へ移動するのを制限できると共に室内方向の外力が作用した場合でもコーナ部材２５の脱落を防止できる。
図１に示すように、竪カバー部材２３ｃの下端２４は下横カバー２３ａの端部に載置してあるので、コーナ部材２５に竪カバー部材２３ｃの下限位置を規定する部位や部品を必要としないので、コーナ部材２５を簡易な構成にできると共にコーナ部材の設計の自由度が高い。
コーナ部材２５には、中空部６３を設けているので、コーナ部材の強度を高めることができる。
各カバー部材２３ａ、２３ｂ、２３ｃは、長手方向を固定していないので、ベース枠１７、１９、２１の長手方向の取付け位置が多少ずれた場合でも、カバー部材２３ａ、２３ｂ、２３ｃの長手方向をずらして取付けることにより隙間をあけないで覆うことができる。
【００２１】
図１２に第３実施の形態を示す。この第３実施の形態は、左右の竪のカバー部材２３ｃ、２３ｃの上端部と下端部に、各々竪ベース枠２１の上端及び下端より長くした突出部４５が設けてあり、竪カバー部材２３ｃの上下の突出部４５に各々第１係合孔４７が形成してある。また、コーナ部材２５には第１係合孔４７に対応する位置に第１係合突起４９を設けている。また、竪カバー部材２３ｃの上端２６は上横カバー部材２３ｂとの間に隙間Ｋを設けて配置してある。その他の構成は第２実施の形態と同様である。
【００２２】
この第３実施の形態によれば、ふかし枠１１には、特許文献１のような各ベース枠１７、１９、２１を互いに連結する連結部材を設けていないので部品点数を少なくできる。
竪カバー部材２３ｃ、２３ｃは、その上端と下端を各々竪ベース枠２１の上端と下端より長くして竪ベース枠２１の上端及び下端よりも突出した突出部４５に形成した第１係合孔４７に、コーナ部材２５の第１係合突起４９を係合しているので、簡易な構成でコーナ部材２５を各カバー部材２３ａ、２３ｂ、２３ｃに取付けできる。
コーナ部材２５は、コーナ部材２５に設けた第１係合突起４９を横カバー部材２３ａ、２３ｂに形成した第１係合孔４７に係合することにより取付けてあるので、室内側からの押し込みにより横カバー部材２３ａ、２３ｂに簡単に取付けできる。
コーナ部材２５は第１係合突起４９により竪カバー部材２３ｃの第１係合孔４７に係合しているので、指の引っ掛かり等により簡単に脱落することがないから、コーナ部材２５を強固に固定できる。
第１係合突起４９の基部５０の巾Ｗは、第１係合突起４９の基部５０が挿入される第１係合孔４７の巾Ｍ（図６（ｅ）参照）と略同じにしてあるので、竪カバー部材２３ｃに対するコーナ部材２５のがたつきを防止できる。
コーナ部材２５には、中空部６３を設けているので、コーナ部材の強度を高めることができる。
第１係合孔４７は、カバー部材長手方向の寸法Ｓ１が第１係合突起４９のカバー部材長手方向の寸法Ｓ２よりも長くしているから、コーナ部材２５に対する竪カバー部材２３ｃの熱伸びを許容できる。
【００２３】
本発明は、上述した実施の形態に限らず、本発明の要旨を逸脱しない範囲で種々変形可能である。
例えば、コーナ部材２５には、中空部６３がなくても良い。
第１係合突起４９は２つ設けることに限らず、一つであっても良いし、その数は制限されない。
第２係合孔５１及び第２係合突起５３は、第１係合孔４７及び第１係合突起４９と同様な構成にして、横カバー部材２３ａ、２３ｂに対する位置決めをしないものであっても良い。
第１係合突起４９は、第１係合孔４７の巾Ｍよりも巾Ｎが大きい爪部６１を設けることに限らず、爪部６１を設けないで、第１係合孔４７に挿入されるだけでも良い。
障子は引き違い障子に限らず、片引き障子であっても良く、窓種は限定されない。
【符号の説明】
【００２４】
１      内窓
９      化粧枠
１１    ふかし枠
１７    上横ベース枠
１９    下横ベース枠
２１    竪ベース枠
２３ａ  下横カバー部材
２３ｂ  上横カバー部材
２３ｃ  竪カバー部材
２５    コーナ部材
４５    突出部（端部）
４７    第１係合孔（見付け面の係合孔）
４９    第１係合突起（見付け面の係合突起）
５１    第２係合孔（見込み面の係合孔）
５３    第２係合突起（見込み面の係合突起）
５５    見付け面
５９    垂直見込み面（見込み面）
【図１】
2011153493.tif 000003
【図２】
2011153493.tif 000004
【図３】
2011153493.tif 000005
【図４】
2011153493.tif 000006
【図５】
2011153493.tif 000007
【図６】
2011153493.tif 000008
【図７】
2011153493.tif 000009
【図８】
2011153493.tif 000010
【図９】
2011153493.tif 000011
【図１０】
2011153493.tif 000012
【図１１】
2011153493.tif 000013
【図１２】
2011153493.tif 000014